(57)【要約】【課題】プロジェクタや画像表示装置において、頻繁に画質の調整を行い、映像ソースごとに細かく画質の調整を行うユーザの利便性を向上させることを目的とする。【解決手段】複数の調整項目について、調整項目名およびそのパラメータを順に表示させるとともに、パラメータ値を自動的に上下させるスライダを表示させ、ユーザはスライダが所望の値のときに一度だけキー操作を行う。またパラメータ値に応じて画面全体の表示方法なども変更して表示する。これにより、ユーザは複数の調整項目に対して、各調整項目に対して一回ずつのキー操作を行うだけで、全ての調整項目の設定を完了できる。【選択図】図９
2007304172.tif 000002
【特許請求の範囲】
【請求項１】
光を生成する光源と、
ＲＧＢの３色のカラーフィルタを備え、同光源からの光をＲＧＢ光に分離するカラーホイールと、
上記光源からの出射光が入射可能なように配置されるライトパイプと、
上記ライトパイプから出射した光を反射させるミラーと、
複数のマイクロミラーからなるとともに、画像データに基づいて各マイクロミラーが時分割駆動されるＤＭＤと、
外部機器からの映像／音声信号の入出力を行う入出力インターフェースと、
上記入出力インターフェースから入力される映像信号をＲＧＢ信号に分解して出力する映像信号処理回路と、
上記映像信号処理回路から入力されるＲＧＢ信号の色レベルを補正して出力する色補正回路と、
上記色補正回路から入力されるＲＧＢ信号を増幅して出力する映像信号増幅回路と、
所定のフォーマットのパルスで表現した赤外線信号を受信して対応する電圧信号を生成する赤外線受光回路と、
情報を書き換え可能なフラッシュメモリと、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
入力される映像信号に基づいて光源の光を調整しスクリーンに表示される画像の画質を調整可能なマイコンとを備えるプロジェクタにおいて、
上記マイコンは、
上記映像信号の画質を調整するための複数の調整項目の調整項目名をパラメータ値を表すスライダとともに順に表示させ、
上記スライダを所定の時間停止して表示させ、
上記所定の時間内に上記パラメータ値の上昇および下降にそれぞれ対応付けられた操作入力を上記リモコンから受け付けると、それぞれ上記スライダを上昇および下降させ、
上記所定の時間内に上記パラメータ値の上昇および下降にそれぞれ対応付けられた操作入力を上記リモコンから受け付けないと、スライダを上昇させ、
上記スライダが最大値または最小値に到達すると、それぞれ最小値から上昇または最大値から下降を行わせ、
上記スライダが表示されている間に上記パラメータ値の決定に対応付けられた操作入力を上記リモコンより受け付けると、上記スライダにて表示中のパラメータ値を上記調整項目の設定として受け付けるとともに上記フラッシュメモリに記憶させ、
上記複数の調整項目のうち予め指定された調整項目はスキップさせ、
上記スライダの上昇および下降するスライド速度を調整し、
上記調整項目のパラメータを上昇または下降させる際に、頻繁に利用されるパラメータ値付近では上記スライド速度を落としてスライドさせることを特徴とするプロジェクタ。
【請求項２】
映像を表示するディスプレイと、
上記複数の調整項目のパラメータを記憶可能な記憶媒体と、
上記調整項目のパラメータを受け付け、パラメータ値を表すスライダとともに表示させ、スライダをスライドさせて変更させながら上記ディスプレイに表示させるスライダ表示手段と、
上記スライダ表示手段が表示している調整項目のスライダのスライドを停止させるとともに、停止させた時点で表示されていたパラメータ値を受け付けて上記記憶媒体に記憶させるパラメータ値受付手段と、
上記複数の調整項目のパラメータを順に上記スライダ表示手段に受け付けさせるセルフオート設定手段と
を備えることを特徴とする映像表示装置。
【請求項３】
上記セルフオート設定手段は、上記複数の調整項目のうち予め指定された調整項目はスキップさせることを特徴とする上記請求項２に記載の映像表示装置。
【請求項４】
上記スライダ表示手段は、パラメータのスライドを開始する前に所定時間パラメータの変更を停止して表示することを特徴とする上記請求項２または３に記載の映像表示装置。
【請求項５】
上記スライダのスライド速度を設定するスライド速度設定手段を備えることを特徴とする上記請求項２〜４のいずれかに記載の映像表示装置。
【請求項６】
上記スライダ表示手段は、
上記調整項目のパラメータをスライドする際、頻繁に利用されるパラメータ値付近では速度を落としてスライドさせることを特徴とする上記請求項２〜５のいずれかに記載の映像表示装置。
【請求項７】
スライダを上方向にスライドさせるかスライダを下方向にスライドさせるかの指示を、上記スライダ表示手段に受け付けさせるスライド方向指示手段を備えることを特徴とする上記請求項２〜６のいずれかに記載の映像表示装置。
【発明の詳細な説明】
【技術分野】
【０００１】
本発明は、画質をユーザが調整可能な映像表示装置やプロジェクタに関するものである。
【背景技術】
【０００２】
自宅でＤＶＤなどを鑑賞する際、映画館のような臨場感を楽しむためにプロジェクタが使用されることが多くなってきている。その際、各ＤＶＤ毎に映像のコントラストや輝度などの画質が異なるため、輝度、コントラスト、色の濃淡などをプロジェクタや調整する必要が出てくる。これまでの画像表示装置においては、輝度、コントラスト、色の濃淡などの調整値を設定するには、メニュー画面から各種調整値に対して一つ一つ設定する必要があった。また、自動的に輝度やホワイトバランスを調整するものもあったが、ユーザの好みや、昼夜の変化に細かく対応するものではなかった。
【０００３】
特許文献１には、字幕などの副映像信号を含まない主映像信号の輝度レベルを算出して、算出された輝度レベルに基づいて調光値を決定することの出来る表示装置について開示されている。
【０００４】
特許文献２には、輝度およびホワイトバランスの初期調整を行う際に、投写レンズの瞳像における輝度レベルを記憶させ、再調整時には投写レンズの瞳像における輝度レベルと記憶されている輝度レベルとを比較演算することで輝度およびホワイトバランスを調整する投写型ディスプレイ装置について開示されている。
【特許文献１】特開２００４−０８５９６１
【特許文献２】特開平０９−０８４０３６
【特許文献３】特開平０５−２６８５５２
【特許文献４】特開平０５−１９７３５７
【特許文献５】特開平０６−３０３５５６
【発明の開示】
【発明が解決しようとする課題】
【０００５】
プロジェクタにてスクリーンに投影する場合、昼夜で見え方が異なるため、画質の調整を行う必要が頻繁に生じる。また、ＤＶＤの内容や映像ソースに合わせてその都度画質を調整することも多い。予め何パターン化の好みのパラメータを設定しておいて、これを使用するような機能もあるが、この機能だけでは全ての映像ソースに対応できず、この機能を使用後にパラメータの設定メニューを呼び出して変更することになる。本発明では、このように頻繁に画質の調整を行い、映像ソースごとに細かく画質の調整を行うユーザの利便性を向上させることを目的とする。
【課題を解決するための手段】
【０００６】
上記目的を達成するため、本発明は、光を生成する光源と、ＲＧＢの３色のカラーフィルタを備え、同光源からの光をＲＧＢ光に分離するカラーホイールと、上記光源からの出射光が入射可能なように配置されるライトパイプと、上記ライトパイプから出射した光を反射させるミラーと、複数のマイクロミラーからなるとともに、画像データに基づいて各マイクロミラーが時分割駆動されるＤＭＤと、外部機器からの映像／音声信号の入出力を行う入出力インターフェースと、上記入出力インターフェースから入力される映像信号をＲＧＢ信号に分解して出力する映像信号処理回路と、上記映像信号処理回路から入力されるＲＧＢ信号の色レベルを補正して出力する色補正回路と、上記色補正回路から入力されるＲＧＢ信号を増幅して出力する映像信号増幅回路と、所定のフォーマットのパルスで表現した赤外線信号を受信して対応する電圧信号を生成する赤外線受光回路と、情報を書き換え可能なフラッシュメモリと、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、入力される映像信号に基づいて光源の光を調整しスクリーンに表示される画像の画質を調整可能なマイコンとを備えるプロジェクタにおいて、上記マイコンは、上記映像信号の画質を調整するための複数の調整項目の調整項目名をパラメータ値を表すスライダとともに順に表示させ、上記スライダを所定の時間停止して表示させ、上記所定の時間内に上記パラメータ値の上昇および下降にそれぞれ対応付けられた操作入力を上記リモコンから受け付けると、それぞれ上記スライダを上昇および下降させ、上記所定の時間内に上記パラメータ値の上昇および下降にそれぞれ対応付けられた操作入力を上記リモコンから受け付けないと、スライダを上昇させ、上記スライダが最大値または最小値に到達すると、それぞれ最小値から上昇または最大値から下降を行わせ、上記スライダが表示されている間に上記パラメータ値の決定に対応付けられた操作入力を上記リモコンより受け付けると、上記スライダにて表示中のパラメータ値を上記調整項目の設定として受け付けるとともに上記フラッシュメモリに記憶させ、上記複数の調整項目のうち予め指定された調整項目はスキップさせ、上記スライダの上昇および下降するスライド速度を調整し、上記調整項目のパラメータを上昇または下降させる際に、頻繁に利用されるパラメータ値付近では上記スライド速度を落としてスライドさせる構成としてある。
【０００７】
また、上記目的を達成するために、請求項２に記載の映像表示装置では、映像を表示するディスプレイと、上記複数の調整項目のパラメータを記憶可能な記憶媒体と、上記調整項目のパラメータを受け付け、パラメータ値を表すスライダとともに表示させ、スライダをスライドさせて変更させながら上記ディスプレイに表示させるスライダ表示手段と、上記スライダ表示手段が表示している調整項目のスライダのスライドを停止させるとともに、停止させた時点で表示されていたパラメータ値を受け付けて上記記憶媒体に記憶させるパラメータ値受付手段と、上記複数の調整項目のパラメータを順に上記スライダ表示手段に受け付けさせるセルフオート設定手段とを備える構成としてある。
【０００８】
つまり、上記セルフオート設定手段は、上記記憶媒体に記憶された上記複数の調整項目のパラメータを取得して上記複数の調整項目のパラメータを順に上記スライダ表示手段に受け付けさせ、上記スライダ表示手段は、上記調整項目のパラメータを受け付け、パラメータ値を表すスライダとともに表示させ、スライダをスライドさせて変更させながら上記ディスプレイに表示させる。
【０００９】
上記ディスプレイとしては、プロジェクタより映像が照射されるスクリーンであってもよいし、液晶ディスプレイ表示パネルであってもよいし、プラズマディスプレイ表示パネルであってもよく、映像が表示されるものであればいかなるものであっても構わない。
また、上記記憶媒体には、ＥＥＰＲＯＭ、フラッシュメモリ、バッテリによりバックアップされたＲＡＭ、ハードディスク等の磁気記憶媒体、等を用いることができる。
【発明の効果】
【００１０】
以上説明したように、本発明の請求項２にかかる発明によれば、画質や音声などを調整する調整項目のパラメータを表すスライダが連続して表示されるとともにスライダが自動的に上下するため、ユーザは各調整項目のパラメータ値決定にそれぞれ一回キー操作を行えばよく、調整時のメニュー操作の煩わしさを軽減するとともに、調整にかかる時間を短縮できる。
【００１１】
また請求項３にかかる発明によれば、画質や音声などを調整する調整項目のうち、変更する必要の無いものを指定できるため、必要な調整項目のパラメータ値のみを連続して調整可能となり、さらに調整にかかる時間を短縮できるとともに、調整不要な調整項目に対するキー操作がなくなり、ユーザの利便性が向上する。
【００１２】
そして請求項４にかかる発明によれば、スライダが所定の時間停止して表示されるため、その間にユーザは、調整項目のパラメータを変更するか否かを判断することが出来、ユーザの利便性が向上する。
さらに請求項５にかかる発明によれば、スライド速度を変更できるため、ユーザが好みのスライド速度を選択できるため利便性が向上する。
また請求項６にかかる発明によれば、ユーザのよく利用するパラメータのあたりでスライド速度がゆるやかになるため、細かいパラメータ値の設定も容易となる。
そして請求項７にかかる発明によれば、パラメータ値を上昇させながら表示させるか、下降させながら表示させるかを選択可能となるため、ユーザは所望のパラメータ値により早く到達することが可能となる。
さらに請求項１のような、より具体的な構成において、上述した請求項２〜請求項７の各発明と同様の作用を奏することはいうまでもない。
【発明を実施するための最良の形態】
【００１３】
以下、下記の順序に従って本発明の実施形態を説明する。
（１）プロジェクタの構造：
（２）メニュー画面における処理：
（３）セルフオートにおける処理：
（４）まとめ：
【００１４】
（１）プロジェクタの構造：
図１は、本発明にかかるプロジェクタを模式的に示す外観図である。同図において、プロジェクタ本体２００には、投影レンズ２６が備えられており、この投影レンズ２６からの画像光が図示しないスクリーン等に投影されることにより、スクリーンに画像が映し出される。また、プロジェクタ本体２００の本体前面側（投影レンズ２６と同じ側）には、フロントカバー１２が取り付けられている。
【００１５】
図２は、図１に示したプロジェクタ本体２００の本体カバーの一部を切り欠いた状態を模式的に示す平面図である。同図において、プロジェクタ本体２００内部の手前側（図２においては下側）の左側には、白色光を生成可能な光源装置２０が設けられている。光源装置２０にて生成された白色光は、右側に設置された光学系１０に向かって照射される。光学系１０は、画像生成素子としてのＤＭＤ（Digital Micromirror Device）２５（図示せず）や、投影レンズ２６等を具備し、光源装置２０により生成された光から画像光を生成するとともに、同画像光のスクリーンへの投影を行う。なお、この光学系１０が備える各部品およびこれらの配置については、後に図面（図３）を用いて説明する。
【００１６】
図３は、図２に示した光源装置２０および光学系１０における各構成部品の配置図である。図３において、光源装置２０からの白色光が照射される光学系１０は、図示しないＲＧＢの３色のカラーフィルタを具備する円盤状のカラーホイール２１と、カラーホイール２１により分離されたＲ、ＧまたはＢの光を集め、同光を後述するミラー２３へと案内するライトパイプ２２と、ライトパイプ２２からの光を反射させるミラー２３と、複数のマイクロミラーを具備するＤＭＤ２５と、ＤＭＤ２５からの光をスクリーンに投影させるための投影レンズ２６とを備えている。また、ライトパイプ２２とミラー２３との間、および、ミラー２３とＤＭＤ２５との間には、それぞれイルミネーションレンズ２７、２８が設けられている。
【００１７】
光源装置２０は、白色光を生成するランプ２０ａと、ランプ２０ａから後方に出射した光を反射させる放物面形状のリフレクタ２０ｂとを備えており、ランプ２０ａにて生成した光を、カラーホイール２１に向けて出射させるようになっている。ランプ２０ａとしては、例えば、ハロゲンランプ、メタルハライドランプ、高圧水銀ランプ、キセノンランプ等を用いることが可能である。また、リフレクタ２０ｂとしては、例えば、放物面鏡や、楕円面鏡等を用いることが可能である。
【００１８】
カラーホイール２１は、略円盤形状を有しており、ＲＧＢの３色のカラーフィルタが等間隔に配置されている。このカラーホイール２１が回転することにより、光源装置２０から出射した白色光が、Ｒ、Ｇ、Ｂの光に順次分離される。ライトパイプ２２は、断面視略矩形状の柱状体であり、入射した光を均一な面状の光に変換してミラー２３へ案内する。イルミネーションレンズ２７は、ライトパイプ２２からの光をミラー２３に集光させるためのものであり、イルミネーションレンズ２８は、ミラー２３により反射した光をＤＭＤ２５に集光させるためのものである。
【００１９】
ＤＭＤ２５は、図４に示すように、ＲＧＢの各光を画像データに応じて画素毎に変調する変調素子としてのマイクロミラー２５ａを複数備えており、各マイクロミラー２５ａは、個別に駆動制御され、反射面の角度を所定角度（例えば、１２度）傾斜させることが可能となっている。
【００２０】
投影レンズ２６は、ＤＭＤ２５によって変調された画像光をスクリーンに拡大投影するためのものであり、ＲＧＢの各色光の色収差等に起因する投影画像の不鮮明を防止する目的で、複数の集光素子を光軸方向に沿って配置した組レンズとして構成されている。
【００２１】
図中、２点鎖線の矢印は、光の進行方向を示している。光源装置２０から出射した白色光は、カラーホイール２１によりＲＧＢの各色光に分離され、同分離された光はライトパイプ２２により集められ、ミラー２３に案内される。ライトパイプ２２から出射した光は、ライトパイプ２２とミラー２３との間に介在するイルミネーションレンズ２７により集光されてミラー２３に入射し、ミラー２３により反射される。ミラー２３により反射された光は、イルミネーションレンズ２８により集光されてＤＭＤ２５に入射する。そして、ＤＭＤ２５により変調された画像光は、投影レンズ２６によりスクリーンに拡大投影される。
【００２２】
図５は、本発明に係るプロジェクタ１００の概略ブロック図である。図５において、プロジェクタ１００は、大別すると、本体２００とリモコン３００とから構成される。本体２００は、概略、本体２００の各部を制御するマイコン５５と、ＤＶＤドライブやパーソナルコンピュータやテレビジョン受像機等から映像／音声信号が入力される入力端子３５と、マトリックス回路等から構成される映像信号処理回路４０と、ＲＧＢ信号補正用の回路等で構成さる色補正回路４５と、色補正回路か４５ら入力されるＲＧＢ信号を増幅して出力する映像信号増幅回路５０と、上述した光学系１０と、リモコン３００からの赤外線信号（無線信号）を受け付けて対応する電圧信号を出力する赤外線受光回路６５とを備えている。
【００２３】
マイコン５５は、内部に、ＣＰＵ、ＲＯＭ、ＲＡＭ、ＯＳＤ（オンスクリーンディスプレイ）回路を備えている。ＯＳＤ回路は、映像信号処理回路に接続され、スクリーンにＯＳＤ表示する画像を表すＯＳＤ信号を生成し映像信号に重畳する。マイコンは、ＣＰＵの制御により、赤外線受光回路６５から電圧信号を入力して対応するキー操作を検知するとリモコン３００からの操作入力を受け付け、受け付けた操作入力に対応したＯＳＤ信号を生成する。また、マイコンは所定の階層構造で階層化された調整項目を階層毎に画面に一覧表示させるＯＳＤ信号を生成し、スクリーンに表示された調整項目の中からいずれかを選択する操作入力をリモコン３００から受け付けるとともに、選択された末端階層の調整項目に対応する設定処理を実行する。
【００２４】
映像信号処理回路は、入力端子から入力される映像信号を赤Ｒ、緑Ｇ、および青Ｂの３原色のＲＧＢ信号に分解して出力する。出力されたＲＧＢ信号は、マイコンからの制御信号に基づいて色補正回路にてＲＧＢ信号の色レベルが補正されて出力される。さらに補正されたＲＧＢ信号は映像信号増幅回路へ入力され、マイコンからの制御信号に基づいて増幅され、光学系１０へと出力される。
【００２５】
リモコン３００は操作を受け付ける複数のキーと、赤外線信号を赤外線受光回路に向けて送信する赤外線送信回路とを有し、同複数のキーの操作に応じた赤外線信号を所定のフォーマットで送出する。リモコン３００は、概略、音量調節キー、上下左右カーソル移動キー、カーソル選択キー、およびメニューキーを備えている。リモコン３００にてメニューキーが押し下げ操作されると、赤外線送信回路より対応する赤外線リモコン信号が送出される。
【００２６】
そして、マイコンが赤外線受光回路を介して同赤外線リモコン信号を受信し、メニュー画面の調整項目全てを表す情報をＲＯＭより取得して、いずれかの位置に対応させたカーソルとともにＯＳＤ表示させるＯＳＤ信号をＯＳＤ回路に生成させ、映像信号処理回路からの映像信号に当該生成したＯＳＤ信号を重畳し、ＯＳＤ信号を重畳した映像信号を映像信号処理回路に対して供給する。すると、映像信号処理回路にてＯＳＤ信号を重畳した映像信号に対応するＲＧＢ信号が生成されて色補正回路へと供給される。
【００２７】
映像信号にＯＳＤ信号が重畳されると、スクリーンにはカーソルとともに調整項目の一覧が表示される。このとき、ユーザーはこのメニュー画面に従ってリモコン３００に配置された操作キーを押し下げ操作することで調整項目の選択入力を行うことができる。すると、マイコンは、赤外線受光回路から入力される電圧信号より、対応するキー操作を検知してリモコンから操作入力を受け付ける。
【００２８】
なお、本実施形態ではスクリーンに映像を投影するプロジェクタを例に取り上げて説明するが、本発明の映像表示装置には、ブラウン管に映像を出力するブラウン管テレビや液晶パネルから映像を出力する液晶テレビジョン、プラズマディスプレイから映像を出力するプラズマテレビジョン等も考えられる。
【００２９】
（２）メニュー画面における処理：
リモコン３００にてメニューキーが押し下げ操作されると、スクリーンには図６のようにメインメニュー画面が表示される。メインメニュー画面には「セルフオート」、「セルフオート設定」、「画質」、「音質」などの調整項目がいずれかの位置に対応して表示されるカーソルとともにＯＳＤ表示される。同図にはカーソルが「セルフオート」の位置にあわせて表示されたものを図示してある。
【００３０】
このときマイコン５５は、メインメニュー画面の調整項目全てを表す情報をＲＯＭより取得して、いずれかの位置に対応させたカーソルとともにＯＳＤ表示させるＯＳＤ信号をＯＳＤ回路に生成させ、映像信号処理回路４０からの映像信号に当該生成したＯＳＤ信号を重畳し、ＯＳＤ信号を重畳した映像信号を映像信号処理回路４０に対して供給する。すると、映像信号処理回路４０にてＯＳＤ信号を重畳した映像信号に対応するＲＧＢ信号が生成され、色補正および信号増幅をそれぞれ色補正回路４５および映像信号増幅回路５０にて行われた後、光学系１０からスクリーンへ投影される。
【００３１】
ここで、映像信号にＯＳＤ信号が重畳されているので、スクリーンにはカーソルとともに調整項目の一覧が表示される。このとき、ユーザはこのメインメニュー画面に従ってリモコン３００に配置された操作キーを押し下げ操作することで調整項目の選択入力を行うことができる。そこで、マイコン５５は、赤外線受光回路６５から電圧信号を入力して対応するキー操作を検知することにより、リモコン３００から操作入力を受け付ける。ここで、上下左右カーソル移動キーの操作を検知した場合、カーソルを上下左右に移動させ、カーソル選択キーの操作を検知した場合、キー操作を検知したときカーソルが表示されている位置の調整項目に対応する設定処理を行う。
【００３２】
調整項目がサブメニューを持つ場合は、メインメニュー画面と同様にサブメニュー画面を表示する処理を行う。例えば調整項目「画質」が選択入力されると、マイコン５５はＲＯＭから「画質」のサブメニューに対応する調整項目全てを表す情報を取得して、スクリーンにＯＳＤ表示させる。例えば図７のように、「画質」のサブメニューには「明るさ」、「コントラスト」、「濃淡」、「色合い」、「縦横比」などの調整項目が、「明るさ」調整項目の位置と合わせて表示されるカーソルとともに一覧表示される。
【００３３】
そして、さらに「画質」のサブメニューにおいて、「明るさ」の調整項目が選択入力されたとき、図８のように、「明るさ」のパラメータ調整を行うスライダが表示される。同図には、「明るさ」のパラメータが５０の状態が示してある。スライダの最高値は１００、最低値が０で、値が大きいほどプロジェクタに表示される画像の明るさは明るくなるものとする。パラメータの調整の方法としては、リモコン３００の上カーソル移動キーを押し下げ操作するとパラメータが上昇し、下カーソル移動キーを押し下げ操作するとパラメータが下降し、所望のパラメータに合わせてカーソル選択キーの押し下げ操作をしてパラメータをマイコンに受け付けさせるなどとすればよい。また、パラメータの上下に伴い、画面の明るさも変更して表示されるものとする。
【００３４】
このとき、マイコン５５は、上下カーソル移動キーのキー操作を検知すると、パラメータの値を変更し、変更されたパラメータに対応する明るさに変更させる制御信号を色補正回路４５に出力し、色補正回路４５は色補正を行った映像信号を映像信号増幅回路５０に出力し、映像信号増幅回路５０および光学系１０にて所定の処理が行われた後、明るさの変更された映像がスクリーンに投影される。また、カーソル選択キーのキー操作を検知すると、検知した時点のパラメータ値をフラッシュメモリ６０の「明るさ」のパラメータを格納するためのアドレスに格納し、以後、再調整が行われるまで同パラメータ値にて色補正を行わせて映像を表示させる。
【００３５】
このように、メインメニューの「セルフオート」と「セルフオート項目設定」とを除く各調整項目についても、「画質」や「明るさ」の調整と同様に、サブメニューの表示やパラメータの調整が行えるものとする。
【００３６】
（３）セルフオートにおける処理：
一方、メインメニューにおいて、「セルフオート」が選択されると、サブメニュー「画質」の全ての調整項目に対して、連続的にパラメータの調整を行える。図９に「セルフオート」選択時の表示画面の推移を模式的に示した。同図において、矢印は時間の経過を示すものとする。このとき、スクリーンには、まず「明るさ」のパラメータ調整を行うスライダが、パラメータ値を５０に合わせた状態で表示される。そして所定の時間パラメータを５０に合わせたまま表示した後、パラメータ値が自動的に上昇または下降を始める。パラメータは５０から上昇して行き、最大の１００になると一旦最低の０戻り、また上昇を始める。そしてユーザは、所望の明るさになったらカーソル選択キーの押し下げ操作を行うことでパラメータ値を決定する。すると、次の調整項目「コントラスト」のパラメータ調整を行うスライダが、パラメータ値を５０に合わせた状態で表示され、「明るさ」と同様にパラメータ値の設定を行う。そして、順次各調整項目のスライダが表示され、サブメニュー「画質」の全ての調整項目の設定が終了すると、調整項目「セルフオート」を終了する。
【００３７】
「セルフオート」においては、所定の時間内にユーザが上下カーソル移動キーの押し下げ操作を行うと、スライダのスライド方向をユーザが指定出来るものとする。例えば上カーソル移動キーの押し下げ操作を行えばパラメータは５０から上昇して行き、下カーソル移動キーの押し下げ操作を行うとパラメータは５０から下降していく。また所定の時間内にユーザがカーソル選択キーの押し下げ操作を行うと、表示中のパラメータは変更無しとしてスキップされる。所定の時間としては３秒でも５秒でもよく、ユーザが現在のパラメータ値に対応する画質を確認できればいかなる時間であっても構わない。本実施例においては、所定の時間は３秒とする。また、サブメニュー「画質」以外の調整項目も「セルフオート」の調整対象としても構わない。
【００３８】
「セルフオート」にて調整を行う調整項目の選択や、スライダのスライド速度の設定は、メインメニューの調整項目「セルフオート項目設定」のサブメニューから行う。「セルフオート項目設定」のサブメニューは、図１０に示すように、サブメニュー「セルフオート項目設定」には、「セルフオート」にて調整を行う調整項目の選択を行う調整項目「据え置き項目設定」や、スライダのスライド速度の設定を行う調整項目「スライダ速度設定」などが、「据え置き項目設定」に合わせて表示されるカーソルとともに一覧表示される。
【００３９】
「セルフオート項目設定」にて、調整項目「据え置き項目設定」を選択入力すると、図１１のようにパラメータ調整可能な調整項目の一覧と、いずれかの調整項目の位置にあわせて表示されるカーソルと、各調整項目の右横に１つずつ表示されるチェックボックスとが表示される。同図において、カーソルは調整項目「明るさ」に合わせて表示されている。チェックボックスは四角の中に×印が入っているものが、チェックされており、四角のみのものはチェックされていないものとする。チェックボックスにチェックの入っているものは、ユーザが「セルフオート」にて調整する必要が無いと判断し、パラメータを据え置いて変更しないものとしたものである。図１１においては「明るさ」および「縦横比」がチェックされているので、これらは「セルフオート」では表示されずにスキップされる。このように各調整項目のうち、予め指定された調整項目は「セルフオート」ではスキップされる。
【００４０】
「セルフオート項目設定」の各調整項目のチェックボックスにチェックを入れたり外したりするには、左右カーソル移動キーを使用する。カーソルをチェックを入れたり外したりしたい調整項目に合わせて、左もしくは右カーソル移動キーを押し下げ操作すると、チェックボックスにチェックが入っているものはチェックがはずれ、チェックが入っていないものではチェックが入る。
【００４１】
「セルフオート項目設定」にて、調整項目「据え置き項目設定」が選択入力されると、マイコン５５は、ＲＯＭよりパラメータ調整可能な調整項目の一覧を取得するとともに、フラッシュメモリ６０から各調整項目の「据え置き項目設定」の設定値を取得してＲＡＭに一時的に格納し、据え置き項目である旨を示す情報であれば×印の入ったチェックボックスを、据え置き項目でない旨を示す情報であれば×印の入っていないチェックボックスを、それぞれの調整項目名とともにＯＳＤ表示させる。そして、リモコン３００の左右カーソル移動キーの押し下げ操作を検知すると、カーソルが合わせて表示されている調整項目の設定値が記憶されているフラッシュメモリ６０上のアドレスを取得し、同アドレスに格納された情報が、据え置き項目である旨を示す情報であれば据え置き項目でない旨を示す情報に変更して格納し、同アドレスに格納された情報が、据え置き項目でない旨を示す情報であれば据え置き項目である旨を示す情報に変更して格納する。格納する情報としては、据え置き項目である旨を示す情報を「１」、据え置き項目でない旨を示す情報を「０」のようにすればよい。また、同時にチェックボックスの表示を変更してＯＳＤ表示させる。
【００４２】
「セルフオート項目設定」にて、調整項目「スライダ速度設定」を選択入力すると、図１２のようにスライダ速度を設定するためのスライダが表示される。同図において、スライダは上に行くほどスライド速度が速くなり、下に行くほどスライド速度が遅くなる。ここでユーザは上下カーソル移動キーを操作して、スライダを上下させることにより、スライダのスライド速度を設定することができる。このように「スライダ速度設定」では、「セルフオート」における調整項目のパラメータをスライドさせるスライド速度を可変とする。
【００４３】
このときマイコン５５は、スライダのスライド速度が記憶されているフラッシュメモリ６０上のアドレスを取得してＲＡＭに一時的に格納し、同アドレスに格納された情報に基づいてスライダのＯＳＤ情報を生成し、ＯＳＤ表示させる。そして、リモコン３００の上下カーソル移動キーの押し下げ操作を検知すると、ＲＡＭ上のスライド速度情報を変更し、変更されたスライド速度情報に基づいてＯＳＤ情報を生成して、ＯＳＤ表示させる。また、カーソル選択キーのキー操作を検知すると、カーソル選択キーのキー操作を検知した時点でのＲＡＭ上のスライド速度情報をフラッシュメモリ６０の対応するアドレスに格納してスライダ速度の設定を終了する。むろんスライダでなく、数値を表示してもよいし、離散的な複数の値を予め表示しておき、それらの中から選択する構成としても構わない。
【００４４】
以上より、調整項目「スライダ速度設定」にて、スライダのスライド速度を設定する際のマイコン５５およびユーザからの操作入力を受け付けるリモコン３００が、上記スライダのスライド速度を設定するスライド速度設定手段を構成する。
【００４５】
次に、図１３のフローチャートを参照して、「セルフオート」設定時におけるマイコン５５の処理を説明する。当該フローは、メインメニューにおける調整項目「セルフオート」の選択入力を、マイコン５５が検知すると開始される。
【００４６】
処理を開始すると、まずステップＳ１００にて、サブメニュー「画質」に表示されるパラメータ調整可能な調整項目の一覧をＲＯＭより取得し、取得した各調整項目に対応する「据え置き項目設定」の設定値をフラッシュメモリ６０の対応するアドレスより取得してＲＡＭに一時的に格納し、「据え置き項目設定」の設定値が「０」である調整項目の一覧を作成してＲＡＭに記憶させてステップＳ１１０に進む。そして、ステップＳ１１０では、フラッシュメモリ６０の対応するアドレスから、スライド速度情報を取得して、ＲＡＭに一時的に記憶させて、ステップＳ１２０に進む。
【００４７】
ステップＳ１２０では、ステップＳ１００にてＲＡＭに記憶させた調整項目の一覧から、最上位にある調整項目の情報をＲＯＭより取得してステップＳ１３０に進み、ＲＯＭより取得した調整項目の情報に基づき、調整項目名とスライダとスライダの初期値とを表示するＯＳＤ信号を生成して、ＯＳＤ表示させてステップＳ１４０に進む。ステップＳ１３０にて表示されるスライダの初期値は、最大値と最小値の中間に当たる５０である。
【００４８】
ステップＳ１４０では、リモコン３０の上下カーソル移動キーの押し下げ操作を検知したか否かの判断を行う。上下カーソル移動キーのいずれかの押し下げ操作を検知したときは条件成立としてステップＳ１６０に進む。一方、上下カーソル移動キーの押し下げ操作を検知しなかったときは条件不成立としてステップＳ１５０に進む。
【００４９】
ステップＳ１４０にて条件不成立と成り、ステップＳ１５０に進むとステップＳ１４０に進んでからの時間を判断する。この時間が、３秒を超えていた場合、条件成立としてステップＳ１６０に進む。また、３秒を超えていない場合は、条件不成立としてステップＳ１４０に戻り、上下カーソル移動キー押し下げ操作がなされたか否かの判断を繰り返す。むろんステップＳ１５０にて判断する秒数は、３秒以外にも任意の時間を採用可能である。
【００５０】
ステップＳ１４０にて条件成立またはステップＳ１５０にて条件成立となりステップＳ１６０に進むと、ステップＳ１２０にて取得した調整項目パラメータのスライダのスライドを開始する。このときのスライド方向は、ステップＳ１４０にて上カーソル移動キーの押し下げ操作を検知ときは上方向に、ステップＳ１４０にて下カーソル移動キーの押し下げ操作を検知したときは下方向に、そしてステップＳ１５０にて３秒経過して条件成立となった場合は上方向に、それぞれ移動する。またこのときのスライドスピードはステップＳ１１０にて取得したスライド速度情報に従う。
【００５１】
ステップＳ１７０ではカーソル選択キーの押し下げ操作を検知したか否かの判断を行う。カーソル選択キーの押し下げ操作を検知すると条件成立としてステップＳ１８０に進み、一方、カーソル選択キーの押し下げ操作を検知しないときは条件不成立としてステップＳ１７０を繰り返す。
【００５２】
ステップＳ１８０では調整項目のパラメータのスライドを停止させてステップＳ１９０に進み、ステップＳ１９０ではステップＳ１７０でカーソル選択キーの押し下げ操作を検出した時点での調整項目のパラメータ値を取得してフラッシュメモリ６０の対応するアドレスに格納してステップＳ２００に進む。さらにステップＳ２００ではステップＳ２００にてパラメータ値を格納した調整項目を、ステップＳ１００にて作成してＲＡＭに記憶させた調整項目一覧から削除してステップＳ２１０に進む。
【００５３】
ステップＳ２１０ではＲＡＭに記憶させた調整項目の一覧に、まだ調整項目が残っているか否かを判定する。調整項目の一覧にまだ調整項目が残っている場合は条件不成立としてステップＳ１２０に戻り、ステップＳ１２０〜Ｓ２１０の処理を繰り返す。一方調整項目の一覧に調整項目が残っていない場合は条件成立として当フローを終了する。
【００５４】
また、上記処理においてフラッシュメモリ６０に記憶される調整項目のパラメータ値を複数回分記憶させ、スライダをスライドさせる際に、記憶された複数のパラメータ値付近でのスライド速度を、ステップＳ１１０で取得するスライド速度情報の値よりもゆっくりとスライドさせる構成としても構わない。これにより、「セルフオート」にてパラメータのスライドをする際、頻繁に利用されるパラメータ値付近では速度を落として表示させることが出来る。
【００５５】
以上より、図１３で示したステップＳ１１０〜Ｓ１６０の処理を行うマイコン５５が、上記調整項目のパラメータを受け付け、パラメータ値を表すスライダとともに表示させ、スライダをスライドさせて変更させながら上記ディスプレイに表示させるスライダ表示手段を構成する。
また、図１３で示したステップＳ１７０〜Ｓ１８０の処理を行うマイコン５５とカーソル選択キーを備えるリモコン３００とが、上記スライダ表示手段が表示している調整項目のスライダのスライドを停止させるとともに、停止させた時点で表示されていたパラメータ値を受け付けて上記記憶媒体に記憶させるパラメータ値受付手段を構成する。
そして、図１３で示したステップＳ１００およびステップＳ２００〜２１０の処理を行うマイコン５５が、上記複数の調整項目のパラメータを順に上記スライダ表示手段に受け付けさせるセルフオート設定手段を構成する
さらに、図１３で示したステップＳ１４０および上下カーソル移動キーを備えるリモコン３００が、上記スライダ表示手段に、スライダを上方向にスライドさせるか、スライダを下方向にスライドさせるかの指示を受け付けさせるスライド方向指示手段を構成する。
【００５６】
次に、上記構成からなる本実施形態の動作を説明する。
ユーザがＤＶＤを鑑賞する際に、時間帯が違う可能性がある。また時間帯は同じであってもＤＶＤのソースにより画面の明るさが異なっていたり、コントラストが鈍いものがあったりする可能性が頻繁に存在する。このような時、毎回メニュー画面から画質の設定項目を一つ一つ呼び出して設定するのは非常に不便である。このようなときに、本発明の「セルフオート」を使用すると、画質の設定項目が順に画面に表示され、ユーザはカーソル選択キーにて各パラメータを決定していくだけで調整が終了するため、ユーザの負担は大幅に減少する。
【００５７】
ユーザがＤＶＤの鑑賞を開始して、画面に見づらさを感じたら、メニュー画面を呼び出し、メニュー画面から「セルフオート」を選択入力する。すると図１３の処理が開始され、「据え置き項目設定」にて据え置き項目に設定されていない調整項目の一覧がＲＡＭ上に作成される（ステップＳ１００）。そして「スライド速度設定」にて設定されているスライド速度情報がやはりＲＡＭ上に記憶される（ステップＳ１１０）。続いてＲＡＭ上に作成された調整項目の一覧の最上位にリストアップされた調整項目の情報を取得して（ステップＳ１２０）、調整項目名とスライダが画面に表示される（ステップＳ１３０）。表示された時点でのスライダのパラメータ値は５０にセットされている。
【００５８】
このときユーザが現在の画質よりも調整項目のパラメータを上昇させたいと思うなら、調整項目名とスライダが画面に表示されてから３秒以内に上カーソル移動キーを押し下げ操作すればよい。するとスライダは上昇を開始し、最大値に達すると最小値からまた上昇し始める。一方、ユーザが現在の画質よりも調整項目のパラメータを下降させたいと感じているならば、調整項目名とスライダが画面に表示されてから３秒以内に下カーソル移動キーを押し下げ操作すればよい。するとスライダは下降を開始し、最小値に達すると最大値からまた下降し始める。むろんユーザにとってパラメータを上昇させたいか下降させたいか決めていない場合もあるので、その場合は３秒後に自動的に上昇を開始する（ステップＳ１４０〜Ｓ１６０）。これにより「セルフオート」において、パラメータのスライドを開始する前に所定時間パラメータの変更が停止され、ユーザは調整項目のパラメータのスライドが開始される前に、パラメータを正方向にスライドさせるか、負方向にスライドさせるかを選択可能となる。
【００５９】
そして、パラメータの変化とともに変化する画面の画質を見ながら、適当と思われる値にスライドが来たとき、ユーザはカーソル選択キーを押し下げ操作して、パラメータ値を決定して調整項目を設定する（ステップＳ１７０）。カーソル選択キーが押し下げ操作されると、その時点でのパラメータ値はフラッシュメモリ６０に格納される（ステップＳ１９０）。そして設定が終了した調整項目は、ＲＡＭ上に格納された調整項目の一覧から削除され（ステップＳ２００）、画面には次の調整項目名とスライドが表示されるためユーザは続けて調整項目の調整を行い、リストの最後まで設定し終わると当フローを終了する（ステップＳ２１０）。
【００６０】
また、「セルフオート」開始前に、「セルフオート項目設定」を予め行うとさらにユーザの利便性が向上する。「セルフオート項目設定」では「据え置き項目設定」や「スライダ速度設定」が行える。「据え置き項目設定」では、設定を行う調整項目を選択でき、調整項目のうち「セルフオート」での設定が不要なものを予め「据え置き項目設定」にて選択しておくことが出来る。メニュー画面から「セルフオート項目設定」、「据え置き項目設定」と進み、「据え置き項目設定」で表示される調整項目名にカーソルを合わせてカーソル選択キーを押し下げ操作すればよい。ユーザが、現在据え置き項目として設定されている調整項目にカーソルを合わせてカーソル選択キーを押し下げ操作すると、調整項目名の右横に表示されるチェックボックスに×印が入り、「セルフオート」実行時にはこの調整項目の調整項目名およびスライダは表示されない。一方、現在据え置き項目として設定されていない調整項目にカーソルを合わせてカーソル選択キーを押し下げ操作すると、調整項目名の右横に表示されるチェックボックスの×印が無くなり、「セルフオート」実行時にはこの調整項目の調整項目名およびスライダが表示されるようになる。
【００６１】
（４）まとめ：
【００６２】
つまり、複数の調整項目について、調整項目名およびそのパラメータを順に表示させるとともに、パラメータ値を自動的に上下させるスライダを表示させ、ユーザはスライダが所望の値のときに一度だけキー操作を行う。またパラメータ値に応じて画面全体の表示方法なども変更して表示する。これにより、ユーザは複数の調整項目に対して、各調整項目に対して一回ずつのキー操作を行うだけで、全ての調整項目の設定を完了できる。
【００６３】
以上説明したように、本実施例に対応する請求項２にかかる発明は、映像を表示するディスプレイと、上記複数の調整項目のパラメータを記憶可能な記憶媒体と、上記調整項目のパラメータを受け付け、パラメータ値を表すスライダとともに表示させ、スライダをスライドさせて変更させながら上記ディスプレイに表示させるスライダ表示手段と、上記スライダ表示手段が表示している調整項目のスライダのスライドを停止させるとともに、停止させた時点で表示されていたパラメータ値を受け付けて上記記憶媒体に記憶させるパラメータ値受付手段と、上記複数の調整項目のパラメータを順に上記スライダ表示手段に受け付けさせるセルフオート設定手段とを備える構成としてある。
【００６４】
つまり、上記セルフオート設定手段は、上記記憶媒体に記憶された上記複数の調整項目のパラメータを取得して上記複数の調整項目のパラメータを順に上記スライダ表示手段に受け付けさせ、上記スライダ表示手段は、上記調整項目のパラメータを受け付け、パラメータ値を表すスライダとともに表示させ、スライダをスライドさせて変更させながら上記ディスプレイに表示させる。
【００６５】
上記ディスプレイとしては、プロジェクタより映像が照射されるスクリーンであってもよいし、液晶ディスプレイ表示パネルであってもよいし、プラズマディスプレイ表示パネルであってもよく、映像が表示されるものであればいかなるものであっても構わない。
また、上記記憶媒体には、ＥＥＰＲＯＭ、フラッシュメモリ、バッテリによりバックアップされたＲＡＭ、ハードディスク等の磁気記憶媒体、等を用いることができる。
上記のように構成した請求項２に記載の発明においては、画質や音声などを調整する調整項目のパラメータを表すスライダが連続して表示されるとともにスライダが自動的に上下するため、ユーザは各調整項目のパラメータ値決定にそれぞれ一回キー操作を行えばよく、調整時のメニュー操作の煩わしさを軽減するとともに、調整にかかる時間を短縮できる。
【００６６】
また請求項３では、上記請求項２に記載の映像表示装置において、上記セルフオート設定手段は、上記複数の調整項目のうち予め指定された調整項目はスキップさせる構成としてある。
上記のように構成した請求項３に記載の発明においては、画質や音声などを調整する調整項目のうち、変更する必要の無いものを指定できるため、必要な調整項目のパラメータ値のみを連続して調整可能となり、さらに調整にかかる時間を短縮できるとともに、調整不要な調整項目に対するキー操作がなくなり、ユーザの利便性が向上する。
【００６７】
そして請求項４では、上記請求項２または３に記載の映像表示装置において、上記スライダ表示手段は、パラメータのスライドを開始する前に所定時間パラメータの変更を停止して表示する構成としてある。
上記のように構成した請求項４に記載の発明においては、スライダが所定の時間停止して表示されるため、その間にユーザは、調整項目のパラメータを変更するか否かを判断することが出来、ユーザの利便性が向上する。
【００６８】
さらに請求項５では、上記請求項２〜４のいずれかに記載の映像表示装置において、上記セルフオート設定手段のパラメータのスライド速度を可変とする構成としてある。
上記のように構成した請求項５に記載の発明においては、スライド速度を変更できるため、ユーザが好みのスライド速度を選択できるため利便性が向上する。
【００６９】
また請求項６では、上記請求項２〜５のいずれかに記載の映像表示装置において、上記セルフオート設定手段は、上記調整項目のパラメータをスライドする際、頻繁に利用されるパラメータ値付近では速度を落としてスライドさせる構成としてある。
上記のように構成した請求項６に記載の発明においては、ユーザのよく利用するパラメータのあたりでスライド速度がゆるやかになるため、細かいパラメータ値の設定も容易となる。
【００７０】
そして請求項７では、上記請求項２〜６のいずれかに記載の映像表示装置において、上記セルフオート設定手段は、上記調整項目のパラメータのスライドを開始する際に、パラメータを正方向にスライドさせるか、負方向にスライドさせるかを選択可能とする構成としてある。
上記のように構成した請求項７に記載の発明においては、パラメータ値を上昇させながら表示させるか、下降させながら表示させるかを選択可能となるため、ユーザは所望のパラメータ値により早く到達することが可能となる。
【００７１】
以上の構成を踏まえた上で、請求項１の発明は、光を生成する光源と、ＲＧＢの３色のカラーフィルタを備え、同光源からの光をＲＧＢ光に分離するカラーホイールと、上記光源からの出射光が入射可能なように配置されるライトパイプと、上記ライトパイプから出射した光を反射させるミラーと、複数のマイクロミラーからなるとともに、画像データに基づいて各マイクロミラーが時分割駆動されるＤＭＤと、外部機器からの映像／音声信号の入出力を行う入出力インターフェースと、上記入出力インターフェースから入力される映像信号をＲＧＢ信号に分解して出力する映像信号処理回路と、上記映像信号処理回路から入力されるＲＧＢ信号の色レベルを補正して出力する色補正回路と、上記色補正回路から入力されるＲＧＢ信号を増幅して出力する映像信号増幅回路と、所定のフォーマットのパルスで表現した赤外線信号を受信して対応する電圧信号を生成する赤外線受光回路と、情報を書き換え可能なフラッシュメモリと、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、入力される映像信号に基づいて光源の光を調整しスクリーンに表示される画像の画質を調整可能なマイコンとを備えるプロジェクタにおいて、上記マイコンは、上記映像信号の画質を調整するための複数の調整項目の調整項目名をパラメータ値を表すスライダとともに順に表示させ、上記スライダを所定の時間停止して表示させ、上記所定の時間内に上記パラメータ値の上昇および下降にそれぞれ対応付けられた操作入力を上記リモコンから受け付けると、それぞれ上記スライダを上昇および下降させ、上記所定の時間内に上記パラメータ値の上昇および下降にそれぞれ対応付けられた操作入力を上記リモコンから受け付けないと、スライダを上昇させ、上記スライダが最大値または最小値に到達すると、それぞれ最小値から上昇または最大値から下降を行わせ、上記スライダが表示されている間に上記パラメータ値の決定に対応付けられた操作入力を上記リモコンより受け付けると、上記スライダにて表示中のパラメータ値を上記調整項目の設定として受け付けるとともに上記フラッシュメモリに記憶させ、上記複数の調整項目のうち予め指定された調整項目はスキップさせ、上記スライダの上昇および下降するスライド速度を調整し、上記調整項目のパラメータを上昇または下降させる際に、頻繁に利用されるパラメータ値付近では上記スライド速度を落としてスライドさせる構成としてある。
【００７２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７３】
【図１】プロジェクタを模式的に示す外観図である。
【図２】プロジェクタの本体カバーの一部を切り欠いた状態を示す平面図である。
【図３】プロジェクタの光学系における各構成部品の配置図である。
【図４】ＤＭＤの構成を示す図である。
【図５】本発明に係るプロジェクタの概略ブロック図である。
【図６】メインメニュー画面の一例である。
【図７】画質メニュー画面の一例である。
【図８】明るさのパラメータを表すスライダの図である。
【図９】セルフオートにおけるスライダ表示の変更を示す模式図である。
【図１０】セルフオート項目設定画面の一例である。
【図１１】据え置き項目設定画面の一例である。
【図１２】スライダ速度設定画面の一例である。
【図１３】セルフオート実行時のマイコンの処理を示すフローチャートである。
【符号の説明】
【００７４】
１０…光学系
１２…フロントカバー
２０…光源装置
２０ａ…ランプ
２０ｂ…リフレクタ
２１…カラーホイール
２２…ライトパイプ
２３…ミラー
２５…ＤＭＤ
２６…投影レンズ
２７，２８…イルミネーションレンズ
３５…入力端子
４０…映像信号処理回路
４５…色補正回路
５０…映像信号増幅回路
５５…マイコン
６０…フラッシュメモリ
６５…赤外線受光回路
１００…プロジェクタ
２００…プロジェクタ本体
３００…リモコン
【図１】
2007304172.tif 000003
【図２】
2007304172.tif 000004
【図３】
2007304172.tif 000005
【図４】
2007304172.tif 000006
【図５】
2007304172.tif 000007
【図６】
2007304172.tif 000008
【図７】
2007304172.tif 000009
【図８】
2007304172.tif 000010
【図９】
2007304172.tif 000011
【図１０】
2007304172.tif 000012
【図１１】
2007304172.tif 000013
【図１２】
2007304172.tif 000014
【図１３】
2007304172.tif 000015